(57)【要約】【課題】押下ヘッドを押し下げたときに、吐出器が装着キャップに対して斜め押下されたりガタついたりすることを抑制できるフォーマーディスペンサーを提供すること。【解決手段】内容物が収容される容器本体２の口部３に装着される装着キャップ４と、装着キャップ４に上方付勢状態で下方移動可能に立設されるステム５、及びステム５に装着され吐出孔６が形成された押下ヘッド７を有する吐出器８と、を備え、吐出器８は、液用ピストン１１と、液用シリンダ１２と、空気用ピストン１３と、空気用シリンダ１４と、気液混合室１５と、発泡部材１６と、を備え、装着キャップ４は、吐出器８が上下に挿通される案内部１８を備え、吐出器８のうち、案内部１８内に挿通された挿通部分の外周面、及び案内部１８の内周面のいずれか一方には、他方に対して上下摺動可能なガイドリブ２５が設けられている。【選択図】図１
2015020766.tif 000002
【特許請求の範囲】
【請求項１】
内容物が収容される容器本体の口部に装着される装着キャップと、
前記装着キャップに上方付勢状態で下方移動可能に立設されるステム、及び前記ステムに装着され吐出孔が形成された押下ヘッドを有する吐出器と、を備え、
前記吐出器は、
前記ステムに連係して上下動する液用ピストンと、
前記液用ピストンが内部に上下摺動可能に配設された液用シリンダと、
前記ステムに連係して上下動する空気用ピストンと、
前記空気用ピストンが内部に上下摺動可能に配設された空気用シリンダと、
前記液用シリンダから移送される内容物と前記空気用シリンダから移送される空気とを混合する気液混合室と、
前記気液混合室と前記吐出孔との間に配設され、前記気液混合室で混合された気液混合体を発泡させる発泡部材と、を備えるフォーマーディスペンサーであって、
前記装着キャップは、前記吐出器が上下に挿通される案内部を備え、
前記吐出器のうち、前記案内部内に挿通された挿通部分の外周面、及び前記案内部の内周面のいずれか一方には、他方に対して上下摺動可能なガイドリブが設けられていることを特徴とするフォーマーディスペンサー。
【請求項２】
請求項１に記載のフォーマーディスペンサーであって、
前記空気用ピストンは、前記ステムに対して上下動可能に外挿される内摺動筒を備え、
前記案内部は、前記口部上に配置され前記ステムが挿通された環状の天壁部と、前記天壁部の内周縁部に立設された案内筒部と、を備え、
前記ガイドリブは、前記内摺動筒及び前記天壁部のいずれか一方に設けられて他方に摺動可能な第１ガイドリブを有することを特徴とするフォーマーディスペンサー。
【請求項３】
請求項２に記載のフォーマーディスペンサーであって、
前記天壁部には、前記内摺動筒が挿入される挿入筒が設けられていることを特徴とするフォーマーディスペンサー。
【請求項４】
請求項２又は３に記載のフォーマーディスペンサーであって、
前記第１ガイドリブは、前記内摺動筒に設けられていることを特徴とするフォーマーディスペンサー。
【請求項５】
請求項２〜４のいずれか一項に記載のフォーマーディスペンサーであって、
前記押下ヘッドは、前記ステムの上方に配置される頂壁部、及び前記頂壁部から下方に向けて延び前記ステムに装着される装着筒部を有し、
前記ガイドリブは、前記装着筒部及び前記案内筒部のいずれか一方に設けられて他方に摺動可能な第２ガイドリブを有することを特徴とするフォーマーディスペンサー。
【発明の詳細な説明】
【技術分野】
【０００１】
本発明は、フォーマーディスペンサーに関する。
【背景技術】
【０００２】
従来、例えば下記特許文献１に示されるような、内容物が収容される容器本体の口部に装着される装着キャップと、前記装着キャップに上方付勢状態で下方移動可能に立設されるステム、及び前記ステムに装着され吐出孔が形成された押下ヘッドを有する吐出器と、を備え、前記吐出器は、前記ステムに連係して上下動する液用ピストンと、前記液用ピストンが内部に上下摺動可能に配設された液用シリンダと、前記ステムに連係して上下動する空気用ピストンと、前記空気用ピストンが内部に上下摺動可能に配設された空気用シリンダと、前記液用シリンダから移送される内容物と前記空気用シリンダから移送される空気とを混合する気液混合室と、前記気液混合室と前記吐出孔との間に配設され、前記気液混合室で混合された気液混合体を発泡させる発泡部材と、を備えるフォーマーディスペンサーが知られている。
フォーマーディスペンサーは、容器本体に対して押下ヘッドを押し下げてステムを下方に移動させることで、容器本体内の内容物が泡状となり吐出孔から吐出される。
【先行技術文献】
【特許文献】
【０００３】
【特許文献１】特開２００９−２０２１２２号公報
【発明の概要】
【発明が解決しようとする課題】
【０００４】
しかしながら、上記従来のフォーマーディスペンサーでは、押下ヘッドを押し下げたときに、例えば、上記吐出孔が開口するノズル筒部を使用者が把持しながら押し下げる場合があり、この場合装着キャップに対して吐出器が斜め押下されて、該吐出器を下方に向けて真っ直ぐ押せないことがあった。この斜め押下を規制することが望まれている。
【０００５】
本発明は、このような事情に鑑みてなされたものであって、押下ヘッドを押し下げたときに、吐出器が装着キャップに対して斜め押下されたりガタついたりすることを抑制できるフォーマーディスペンサーを提供することを目的としている。
【課題を解決するための手段】
【０００６】
前記課題を解決するために、本発明は以下の手段を提案している。
本発明は、内容物が収容される容器本体の口部に装着される装着キャップと、前記装着キャップに上方付勢状態で下方移動可能に立設されるステム、及び前記ステムに装着され吐出孔が形成された押下ヘッドを有する吐出器と、を備え、前記吐出器は、前記ステムに連係して上下動する液用ピストンと、前記液用ピストンが内部に上下摺動可能に配設された液用シリンダと、前記ステムに連係して上下動する空気用ピストンと、前記空気用ピストンが内部に上下摺動可能に配設された空気用シリンダと、前記液用シリンダから移送される内容物と前記空気用シリンダから移送される空気とを混合する気液混合室と、前記気液混合室と前記吐出孔との間に配設され、前記気液混合室で混合された気液混合体を発泡させる発泡部材と、を備えるフォーマーディスペンサーであって、前記装着キャップは、前記吐出器が上下に挿通される案内部を備え、前記吐出器のうち、前記案内部内に挿通された挿通部分の外周面、及び前記案内部の内周面のいずれか一方には、他方に対して上下摺動可能なガイドリブが設けられていることを特徴とする。
【０００７】
本発明のフォーマーディスペンサーによれば、吐出器において装着キャップの案内部内に挿通される挿通部分の外周面、及び装着キャップの案内部の内周面のうちの一方に、他方に対して上下摺動可能なガイドリブが設けられているので、押下ヘッドを押し下げたときに、吐出器が下方に向けて真っ直ぐ移動せず上下方向に交差する方向に移動しようとしても、前記ガイドリブが他方の周面上に摺接しつつ上下動することで、装着キャップに対する吐出器の斜め押下（つまり真下にではなく斜め前方や斜め後方に押下されること）やガタつきを抑制できる。
以上より、押下ヘッドを押し下げたときに、吐出器が装着キャップに対して斜め押下されたりガタついたりすること（以下、ガタつき等と省略することがある）を抑制でき、吐出器と装着キャップとの径方向の位置関係を安定させることが可能になり、押し下げ操作が安定して操作性が高められる。
【０００８】
また、本発明のフォーマーディスペンサーにおいて、前記空気用ピストンは、前記ステムに対して上下動可能に外挿される内摺動筒を備え、前記案内部は、前記口部上に配置され前記ステムが挿通された環状の天壁部と、前記天壁部の内周縁部に立設された案内筒部と、を備え、前記ガイドリブは、前記内摺動筒及び前記天壁部のいずれか一方に設けられて他方に摺動可能な第１ガイドリブを有することとしてもよい。
【０００９】
この場合、ガイドリブとして、空気用ピストンの内摺動筒及び装着キャップの天壁部のいずれか一方に、他方に対して上下摺動可能な第１ガイドリブが設けられるので、装着キャップの天壁部に対して吐出器の空気用ピストンが上下動するときのガタつき等が抑制されて、上述した効果がより顕著に得られる。
【００１０】
また、本発明のフォーマーディスペンサーにおいて、前記天壁部には、前記内摺動筒が挿入される挿入筒が設けられていることとしてもよい。
【００１１】
この場合、天壁部の挿入筒と、空気用ピストンの内摺動筒との上下方向に沿う接触可能な長さを確保しやすくなり、上述した吐出器のガタつき等を抑える効果がより顕著となる。
【００１２】
また、本発明のフォーマーディスペンサーにおいて、前記第１ガイドリブは、前記内摺動筒に設けられていることとしてもよい。
【００１３】
空気用ピストンの内摺動筒は、ステムに外挿されて該ステムとともに装着キャップの天壁部の内側に挿通していることから、この構成の場合、第１ガイドリブの上下方向に沿う長さをより確保しやすくなり、上述した吐出器のガタつき等を抑える効果がさらに顕著となる。
【００１４】
また、本発明のフォーマーディスペンサーにおいて、前記押下ヘッドは、前記ステムの上方に配置される頂壁部、及び前記頂壁部から下方に向けて延び前記ステムに装着される装着筒部を有し、前記ガイドリブは、前記装着筒部及び前記案内筒部のいずれか一方に設けられて他方に摺動可能な第２ガイドリブを有することとしてもよい。
【００１５】
この場合、ガイドリブとして、押下ヘッドの装着筒部及び装着キャップの案内筒部のいずれか一方に、他方に対して上下摺動可能な第２ガイドリブが設けられるので、装着キャップの案内筒部に対して吐出器の押下ヘッドが上下動するときのガタつき等が抑制されて、上述した効果がさらに顕著なものとなる。
またこの場合、ガイドリブにおける第１ガイドリブと第２ガイドリブとを、上下方向に沿う異なる位置に配置できる（上下に離間して配置できる）ので、上述した吐出器のガタつき等を格別顕著に抑制できる。
【発明の効果】
【００１６】
本発明のフォーマーディスペンサーによれば、押下ヘッドを押し下げたときに、吐出器が装着キャップに対して斜め押下されたりガタついたりすることを抑制できる。
【図面の簡単な説明】
【００１７】
【図１】本発明の一実施形態に係るフォーマーディスペンサーを備える吐出容器を示す縦断面図である。
【発明を実施するための形態】
【００１８】
以下、図面を参照し、本発明の一実施形態に係るフォーマーディスペンサー１を備える吐出容器１０について説明する。
図１に示されるように、吐出容器１０は、フォーマーディスペンサー１と、容器本体２と、を備えている。容器本体２には、液状の内容物（内容液）が収容される。フォーマーディスペンサー１は、容器本体２内の内容物を泡状にして容器外部に吐出する。内容物としては、例えば皮膚洗浄液（ボディウォッシュ）等が挙げられる。内容物の一例の成分表を下記表１に示す。
【００１９】
【表１】
2015020766.tif 000003
【００２０】
図１において、フォーマーディスペンサー１は、内容物が収容される容器本体２の口部３に装着される装着キャップ４と、装着キャップ４に上方付勢状態で下方移動可能に立設されるステム５、及びステム５に装着され吐出孔６が形成された押下ヘッド７を有する吐出器８と、を備えている。また吐出器８は、ステム５に連係して上下動する液用ピストン１１と、液用ピストン１１が内部に上下摺動可能に配設された液用シリンダ１２と、ステム５に連係して上下動する空気用ピストン１３と、空気用ピストン１３が内部に上下摺動可能に配設された空気用シリンダ１４と、液用シリンダ１２から移送される内容物と空気用シリンダ１４から移送される空気とを混合する気液混合室１５と、気液混合室１５と吐出孔６との間に配設され、気液混合室１５で混合された気液混合体を発泡させる発泡部材１６と、を備えている。これらの液用ピストン１１、液用シリンダ１２、空気用ピストン１３、空気用シリンダ１４、気液混合室１５及び発泡部材１６は、吐出器８の吐出機構を構成している。
フォーマーディスペンサー１は、容器本体２に対して押下ヘッド７を押し下げてステム５を下方に移動させ、前記吐出機構を作動させることにより、容器本体２内の内容物を上方に移送するとともに空気と混合させ、これらの気液混合体が発泡されてなる泡状の内容物を、押下ヘッド７の吐出孔６から容器側方へ向けて吐出するように構成されている。
【００２１】
図１において、容器本体２の口部３、装着キャップ４、ステム５及び押下ヘッド７は、それぞれの中心軸線が共通軸上に配置されている。本明細書では、この共通軸を軸線Ｏといい、軸線Ｏ方向に沿う押下ヘッド７側（図１における上方）を上方、容器本体２の底部側（図１における下方）を下方という。また、軸線Ｏに直交する方向を径方向といい、軸線Ｏ回りに周回する方向を周方向という。
【００２２】
装着キャップ４は、容器本体２の口部３に装着される周壁部１７と、周壁部１７の径方向内側に連なり吐出器８が上下に挿通される案内部１８と、を備えている。
図示の例では、周壁部１７が、口部３に螺着により着脱可能に取り付けられている。なお、周壁部１７は、口部３に対して上記螺着以外の例えばアンダーカット嵌合などで装着されてもよい。また案内部１８は、口部３上に配置されステム５が挿通された環状の天壁部１９と、天壁部１９の内周縁部に立設された案内筒部２０と、を備えている。具体的に、周壁部１７に対して案内筒部２０は小径となっており、周壁部１７の上端部と案内筒部２０の下端部とが、円環板状の天壁部１９を介して連結されている。
【００２３】
天壁部１９には、下方に向けて突出するとともに径方向に沿って延びるリブ２１が、周方向に間隔をあけて複数設けられている。また、天壁部１９の内周縁部には挿入筒２２が垂下設されており、リブ２１の径方向内側の端部が挿入筒２２の外周面に連結されている。図示の例では、天壁部１９の挿入筒２２の内径が、案内筒部２０の内径よりも小さくなっている。
【００２４】
案内筒部２０の上端部には、径方向外側に向けて突出するとともに周方向に沿って延びる環状の内ガイド凸部２３が形成されている。案内筒部２０において内ガイド凸部２３の下方に位置する部分には、該案内筒部２０に対する押下ヘッド７の下方への移動を規制する規制部材２４が装着されている。規制部材２４は、このフォーマーディスペンサー１を上方から見た上面視においてＣ字状をなしており、案内筒部２０に離脱可能に外嵌されている。
【００２５】
案内筒部２０の内周面には、径方向内側へ向けて突出するとともに上下方向に沿って延びるガイドリブ２５が設けられている。本実施形態のフォーマーディスペンサー１は、ガイドリブ２５として後述する第１ガイドリブ３１及び第２ガイドリブ３２を有しており、案内筒部２０に設けられたガイドリブ２５は、第２ガイドリブ３２となっている。
このフォーマーディスペンサー１には、吐出器８のうち、案内部１８内に挿通された挿通部分の外周面、及び案内部１８の内周面のいずれか一方に、他方に対して上下摺動可能なガイドリブ２５が設けられている。そして、前記第２ガイドリブ３２は、案内筒部２０及び後述する押下ヘッド７の装着筒部５７のいずれか一方に設けられて他方に摺動可能とされており、本実施形態においては第２ガイドリブ３２が、案内筒部２０に形成されているとともに、装着筒部５７に上下摺動可能とされている。
【００２６】
空気用シリンダ１４は有底筒状をなしており、周壁と、底壁と、を有している。前記周壁の上端開口部には、径方向外側へ向けて突出するとともに周方向に沿って延びるフランジが形成されており、該フランジが容器本体２の口部３上面に設けられたパッキンと装着キャップ４の天壁部１９との間に上下方向から挟持されることで、この空気用シリンダ１４は、容器本体２及び装着キャップ４に対して固定されている。空気用シリンダ１４の底壁は、径方向内側へ向かうに従い漸次上方へ向けて傾斜している。
【００２７】
液用シリンダ１２は、空気用シリンダ１４と一体に形成されている。液用シリンダ１２は、空気用シリンダ１４の底壁の内周縁部から下方に向けて延設された基筒部２６と、基筒部２６の下端から下方に向けて連設され、下方に向かうに従い漸次縮径するテーパ筒部２７と、テーパ筒部２７の下端から下方に向けて連設された垂下筒部２８と、を備えている。液用シリンダ１２において基筒部２６とテーパ筒部２７とが連結された部分の内周面には、上下方向に延在する縦リブが、周方向に間隔をあけて複数突設されている。垂下筒部２８内には、容器本体２の底部へ向けて延びる吸い上げパイプが嵌合されている。
【００２８】
液用シリンダ１２の内部には、液用ピストン１１が上下摺動自在に配設されている。液用ピストン１１は、ステム５に連係しており、具体的にはステム５とともに上下動するように該ステム５に連結されている。液用ピストン１１は筒状をなしており、その下端部には液用シリンダ１２内に液密状態で上下摺動可能に嵌合する大径部２９が設けられ、上端部には弁部材３５の上部弁体３６に離脱可能に嵌合する小径部３０が設けられ、下端部と上端部との間に位置する中間部分には、大径部２９及び小径部３０を連結する中径部３３が設けられている。
液用ピストン１１は、この液用ピストン１１の上端部と、液用シリンダ１２の前記縦リブとの間に介装された付勢部材３４により、上方に付勢されている。付勢部材３４としては、例えばコイルスプリングや樹脂バネ等を採用することができる。
【００２９】
液用シリンダ１２、液用ピストン１１及び付勢部材３４内には、棒状の弁部材３５が上下動可能に挿通されている。弁部材３５の上端部には、中空の逆円錐状の上部弁体３６が形成され、弁部材３５の下端部には、下部弁体３７が形成されている。上部弁体３６は、液用ピストン１１の上端部（小径部３０）に形成された弁座部に、この弁座部の上方から離間可能に着座している。下部弁体３７は、液用シリンダ１２のテーパ筒部２７から上方に離間していて、テーパ筒部２７に着座可能とされている。下部弁体３７の外周面には、液用シリンダ１２の前記縦リブの間に配置されるガイド凸部が突設されている。
【００３０】
ステム５は、容器本体２の口部３内を、上方付勢状態で下方移動可能に立設される。ステム５は、下ステム３８と、上ステム３９と、を備えている。下ステム３８及び上ステム３９はいずれも筒状に形成されている。
【００３１】
下ステム３８は、空気用シリンダ１４内に挿通されている。下ステム３８は、その下方部分が上方部分よりも大径となっている。下ステム３８の下方部分は、液用ピストン１１の中径部３３に外嵌され、下ステム３８の上方部分のうち下端部は、液用ピストン１１の小径部３０に外嵌されている。下ステム３８における上方部分と下方部分との連結部分には、径方向外側に向けて突出するとともに周方向に沿って延びる環状のフランジ部４０が設けられている。また下ステム３８の上方部分における前記連結部分よりも上方には、径方向内側に向けて突出するとともに周方向に沿って延びる環状の弁座４１が設けられており、該弁座４１には、球状をなす液吐出弁５１が上方へと離間可能に着座している。
【００３２】
下ステム３８の上端部は、案内筒部２０内に配置されている。下ステム３８の上端部内には、支柱を介して形成された有頂筒状の押さえ部材４２が設けられている。押さえ部材４２は、弁座４１上に載置されて、下ステム３８と弁座４１との間にアンダーカット嵌合されている。押さえ部材４２の支柱間には、該支柱を径方向に貫通する流通孔が開口している。押さえ部材４２の天壁には、上方へ向けて上筒が立設され、また下方へ向けて下筒が垂下設されている。
【００３３】
上ステム３９は、装着キャップ４の案内筒部２０内に挿通され、下ステム３８の上端部に外嵌されている。上ステム３９の下端部は、この上ステム３９において下端部よりも上方に位置しかつ下ステム３８の上端部に外嵌された外嵌部分よりも、内径が大きくなっている。上ステム３９において下端部と上端部との間に位置する中間部分には、他の部位よりも内径が小さい縮径部４３が形成されている。
上ステム３９の内周面において縮径部４３よりも下方に位置する部分には、上下方向に延在する縦溝４４が形成されている。縦溝４４の上端部は、径方向内側に開口して気液混合室１５に連通しており、縦溝４４の下端部は、下方に向けて開口されている。
【００３４】
空気用ピストン１３は、空気用シリンダ１４の内部に上下摺動自在に配設されている。空気用ピストン１３は、ステム５に連係しており、具体的にはステム５の上下動に対応して上下動し、かつステム５に対して上下動可能とされている。
空気用ピストン１３は、空気用シリンダ１４内に気密状態で上下摺動自在に嵌合された外摺動筒４５と、この外摺動筒４５よりも小径とされて該外摺動筒４５の径方向内側に配置され、ステム５のうち下ステム３８の上方部分に上下摺動可能に外嵌する内摺動筒４６と、外摺動筒４５の内周面と内摺動筒４６の外周面とを連結する連結板４７と、連結板４７を上下方向に貫通する空気孔４８と、連結板４７の下面に離間可能に当接するとともに、空気孔４８を開閉可能に閉塞する弁体４９と、を備えている。
【００３５】
内摺動筒４６は、下ステム３８においてフランジ部４０よりも上方に位置しかつ弁座４１よりも下方に位置する空気用ピストン対応部分に、上下動可能に外挿されている。具体的に、内摺動筒４６内には、下ステム３８の前記空気用ピストン対応部分が挿入されているとともに、これら内摺動筒４６の内周面と前記空気用ピストン対応部分の外周面との間には、隙間が設けられている。この隙間は、上方で縦溝４４内に連通し、下方でフランジ部４０と連結板４７との間を通して空気用シリンダ１４内に連通可能とされている。前記隙間は、フランジ部４０に空気用ピストン１３の内摺動筒４６が着座することで、空気用シリンダ１４内との連通が遮断されている。
下ステム３８の前記空気用ピストン対応部分の外周面には、上下方向に延びる縦溝５０が周方向に間隔をあけて複数形成されている。これらの縦溝５０は、内摺動筒４６の後述する周方向に隣り合う第１ガイドリブ３１同士の間に対応して配置されている。
【００３６】
内摺動筒４６の上端部には、上ステム３９の下端部が上下摺動自在に外嵌している。内摺動筒４６の上端部と、下端部（具体的には内摺動筒４６において連結板４７に連結された連結部分）との間に位置する部分には、径方向外側に向けて突出するとともに上下方向に沿って延びる第１ガイドリブ３１（ガイドリブ２５）が設けられている。また内摺動筒４６は、装着キャップ４の天壁部１９の挿入筒２２内に挿入されている。内摺動筒４６の下端縁は、フランジ部４０に離間可能に着座している。
【００３７】
ここで、第１ガイドリブ３１は、内摺動筒４６及び天壁部１９のいずれか一方に設けられて他方に摺動可能とされており、本実施形態においては第１ガイドリブ３１が、内摺動筒４６に形成されているとともに、天壁部１９の挿入筒２２に上下摺動可能とされている。また第１ガイドリブ３１の上方には、上ステム３９の下端開口縁が該第１ガイドリブ３１との間に隙間をあけて対向配置されている。
【００３８】
連結板４７は、内摺動筒４６の下端部と、外摺動筒４５の上下方向に沿う中央部とを全周にわたって連結しており、円環板状若しくは下方に向けて段階的に拡径する有頂筒状をなしている。空気用シリンダ１４内は、連結板４７により上室と下室とに区画されており、該連結板４７の空気孔４８を通して、これら上室と下室とが連通可能とされている。
【００３９】
気液混合室１５は、液用シリンダ１２からの内容物と空気用シリンダ１４からの空気とを混合する。気液混合室１５は、ステム５内に配設されていて、図示の例では、下ステム３８の上端部内に配設された押さえ部材４２と、上ステム３９の縮径部４３付近との間に位置している。気液混合室１５は、空気用シリンダ１４の前記下室に、縦溝４４内、内摺動筒４６と下ステム３８の前記空気用ピストン対応部分との隙間、及び縦溝５０内からなる空気導入路５２を通して連通可能となっている。
【００４０】
発泡部材１６は、ステム５内に設けられており、具体的には上ステム３９の上端部内に嵌合されて、縮径部４３上に載置されている。発泡部材１６は、筒体の開口縁部に網体が張設されてなる発泡エレメント５３が、上下方向に複数連設されて構成されている。本実施形態では、発泡エレメント５３が上下に２つ設けられており、これら発泡エレメント５３のうち、上方に位置する発泡エレメント５３は筒体の上端開口縁部にのみ網体が設けられ、下方に位置する発泡エレメント５３は筒体の下端開口縁部にのみ網体が設けられている。
なお、発泡エレメント５３と網体は少なくとも１つ設けてあればよい。また、上方に位置する発泡エレメント５３の網体（細かい目）と下方に位置する発泡エレメント５３の網体（粗い目）の目の粗さを変えることで、より極めの細かい泡を生成させることができる。
気液混合室１５内において内容物と空気とが混合されてなる気液混合体は、該気液混合室１５から縮径部４３内を通り発泡部材１６内を流通することで、泡状に発泡させられる。
【００４１】
押下ヘッド７は、ヘッド本体５４と、外装筒部５５と、を備えている。ヘッド本体５４と外装筒部５５とは、別体に形成されるとともに互いに組み付けられている。ヘッド本体５４は、頂壁部５６と、装着筒部５７と、嵌合筒部５８と、被覆壁部５９と、ノズル筒部６０と、を備えている。
頂壁部５６は、ステム５の上方に配置されている。
【００４２】
装着筒部５７は、頂壁部５６から下方に向けて延びステム５に装着されている。装着筒部５７は、軸線Ｏと同軸に配置され、上ステム３９の上端部に外側から嵌合している。装着筒部５７の下端部は、案内筒部２０内に挿入されていて、装着筒部５７は、案内筒部２０内を上下動自在とされている。
【００４３】
装着筒部５７の上端部の内周面には、径方向の内側に向けて突出する規制リブ６１が設けられている。規制リブ６１は、上下方向に延びる板状に形成され、規制リブ６１の上端部は、頂壁部５６に連結している。規制リブ６１の下端部は、上ステム３９の上端部に当接している。
嵌合筒部５８は、頂壁部５６から下方に向けて突出し、軸線Ｏと同軸に配置されている。嵌合筒部５８は、装着筒部５７の上端部を径方向の外側から囲繞している。
【００４４】
ノズル筒部６０は、装着筒部５７から径方向の外側に向けて延び、嵌合筒部５８よりも径方向の外側に突出している。ノズル筒部６０内は、装着筒部５７の上端部内を通してステム５内に連通していて、ノズル筒部６０の突端部内には、前記吐出孔６が設けられている。なお以下では、径方向のうち、ノズル筒部６０が延びる方向を前後方向といい、前後方向に沿って吐出孔６が開口する方向（図１における右側）を前方といい、その反対側（図１における左側）を後方という。
【００４５】
被覆壁部５９は、頂壁部５６の外周縁部から下方に向けて延びている。被覆壁部５９は、このフォーマーディスペンサー１を上下方向から見た平面視において、前方に向けて開口するＣ字状に形成されていて、被覆壁部５９の周端部は、ノズル筒部６０において周方向を向く各側面に連結されている。被覆壁部５９は、装着筒部５７の上端部及び嵌合筒部５８を径方向の外側から覆っている。
【００４６】
外装筒部５５は、頂壁部５６の下方位置に設けられている。外装筒部５５の上端縁は、頂壁部５６の下面に当接していて、外装筒部５５の上端部は、嵌合筒部５８内に嵌合されている。外装筒部５５の上端部には、径方向の外側に向けて突出する環状の突条部６２が設けられている。突条部６２は、嵌合筒部５８の内周面に嵌合（アンダーカットなど）している。
【００４７】
外装筒部５５は、装着筒部５７及び案内筒部２０を径方向の外側から囲繞していて、外装筒部５５内は、案内筒部２０内を通して空気用シリンダ１４内に連通可能となっている。外装筒部５５の下端部は、装着筒部５７の下端部と上下方向に同等の位置に配置されている。外装筒部５５の下端部は、案内筒部２０の上端部を径方向の外側から囲繞している。
【００４８】
外装筒部５５の下端部には、径方向の内側に向けて突出する外ガイド凸部６３が設けられている。外ガイド凸部６３は、環状に形成されている。外ガイド凸部６３は、押下ヘッド７を押下する前の状態で、内ガイド凸部２３に径方向に対向していて、内ガイド凸部２３に近接している。
【００４９】
外装筒部５５の上端部には、吸気孔６４、６５が形成されている。吸気孔６４、６５は、外装筒部５５を径方向に貫通するとともに上方に向けて開口している。吸気孔６４、６５には、第１吸気孔６４と、第２吸気孔６５と、が備えられている。
【００５０】
第１吸気孔６４は、外装筒部５５において、径方向のうち前後方向に直交する左右方向の両側に位置する各部分に配置されている。第１吸気孔６４は、互いに同等の形状でかつ同等の大きさに形成されている。第１吸気孔６４は、このフォーマーディスペンサー１を左右方向から見た側面視において、矩形状に形成されている。
【００５１】
ここで、外装筒部５５の外周面における吸気孔６４、６５の開口周縁部には、径方向の内側に窪み吸気孔６４、６５に連通する窪み部６６が形成されている。窪み部６６は、外装筒部５５の外周面における第１吸気孔６４の開口周縁部のうち、第１吸気孔６４に下方から連なる部分に配置されている。窪み部６６は、前記側面視において、矩形状に形成されている。窪み部６６の周方向の大きさは、第１吸気孔６４の周方向の大きさと同等となっている。
【００５２】
第１吸気孔６４は、嵌合筒部５８及び被覆壁部５９により径方向の外側から覆われている。第１吸気孔６４は、このフォーマーディスペンサー１の外部と、窪み部６６を通して連通している。
第２吸気孔６５は、外装筒部５５において前方に位置し、周方向の位置がノズル筒部６０と同等とされた部分である前方に配置されている。
【００５３】
第２吸気孔６５内には、ノズル筒部６０が上方から差し込まれていて、ノズル筒部６０は、この第２吸気孔６５から前方に向けて延び、外装筒部５５よりも径方向の外側に突出している。第２吸気孔６５の周方向の大きさは、ノズル筒部６０の周方向の大きさと同等となっていて、ノズル筒部６０の各側面は、第２吸気孔６５の内周縁において、周方向の内側を向く各部分に係止している。
【００５４】
第２吸気孔６５は、ノズル筒部６０よりも上下方向に大きくなっていて、ノズル筒部６０の下面と、第２吸気孔６５の内周縁において上方を向く部分と、の間には、上下方向の隙間が設けられている。
【００５５】
外装筒部５５の内周面には、上下方向に延びる案内リブ６７、６８が突設されている。案内リブ６７、６８は、押下ヘッド７が斜め押下されたときに、案内筒部２０に、図示の例では内ガイド凸部２３に径方向の外側から摺接可能である。案内リブ６７、６８は、外装筒部５５のうち、案内筒部２０を径方向に挟んで反対側に位置する各部分に配置されている。案内リブ６７、６８には、第１案内リブ６７と、第２案内リブ６８と、が備えられている。
【００５６】
第１案内リブ６７は、外装筒部５５の前方に配置され、この前方のうち、第２吸気孔６５の下方に位置する部分に配置されている。第１案内リブ６７の上端部は、第２吸気孔６５の内周縁よりも下方に位置している。第１案内リブ６７の下端部は、外ガイド凸部６３に連結されている。第１案内リブ６７は、上下方向に真直に延びていて、外ガイド凸部６３の表面に滑らかに連結されている。
【００５７】
特に図示していないが、第１案内リブ６７は、外装筒部５５の前方に周方向に間隔をあけて３つ設けられている。３つの第１案内リブ６７は、周方向に同等の間隔をあけて配置されている。この３つの第１案内リブ６７のうち、周方向の中央に位置するものは、軸線Ｏに対して前方正面に配置されている。
【００５８】
第２案内リブ６８は、第１案内リブ６７に対して案内筒部２０を径方向に挟んだ反対側に位置する部分である後部に配置されている。第２案内リブ６８は、外装筒部５５の後部の上下方向の全長にわたって形成されている。第２案内リブ６８の下端部は、外ガイド凸部６３に連結されている。第２案内リブ６８は、上下方向に真直に延びていて、外ガイド凸部６３の表面に滑らかに連結されている。
【００５９】
特に図示していないが、第２案内リブ６８は、外装筒部５５の後部に周方向に間隔をあけて２つ設けられている。２つの第２案内リブ６８は、外装筒部５５のうち、軸線Ｏに対して後方正面に位置する部分を回避して配置されている。
【００６０】
ヘッド本体５４の頂壁部５６には、下方に向けて突出するとともに周方向に間隔をあけて配置され、吸気孔６４、６５の内周縁において周方向の内側を向く各部分に係止する一対の係止部６９が設けられている。
【００６１】
一対の係止部６９は、両第１吸気孔６４それぞれに設けられていて、頂壁部５６において左右方向の両側に位置する各部分に配置されている。係止部６９は、径方向に延びる板状に形成され、前記平面視において左右方向に沿って真直に延びている。そして、係止部６９において周方向を向く表面が、第１吸気孔６４の内周縁に係止して、この内周縁に近接または当接している。
【００６２】
係止部６９は、装着筒部５７と嵌合筒部５８とを連結していて、係止部６９の径方向の内側の端部が装着筒部５７に連結され、径方向の外側の端部が嵌合筒部５８に連結されている。
【００６３】
特に図示していないが、係止部６９の上下方向の大きさは、径方向の内側から外側に向かうに従い段状に小さくなっている。係止部６９のうち、外装筒部５５よりも径方向の内側に位置する筒内部分は、この筒内部分よりも径方向の外側に位置し、第１吸気孔６４内に配置された部分よりも下方に向けて突出している。この筒内部分は、外装筒部５５を径方向の内側から支持していて、外装筒部５５の内周面に径方向の内側から近接または当接している。
【００６４】
頂壁部５６には、下方に向けて突出するとともに径方向に延び、周方向に複数配置された支持板部７０が設けられている。支持板部７０は、前記平面視において軸線Ｏを中心とする放射状に設けられていて、周方向の全周にわたって間欠的に配置されている。支持板部７０は、一対の係止部６９の周方向の間と、ノズル筒部６０と、を周方向に回避した位置に配置されている。
【００６５】
支持板部７０の径方向の内側の端部は、装着筒部５７に連結されている。支持板部７０の径方向の外側の端部は、外装筒部５５を径方向の内側から支持していて、外装筒部５５の内周面に径方向の内側から近接または当接している。支持板部７０は、周方向に間隔をあけて複数配置されることで板部列を構成していて、外装筒部５５は、この板部列に対して外側から嵌合されている。
【００６６】
以上のように構成されたフォーマーディスペンサー１は、押下ヘッド７を押し下げてステム５を下方に移動させることにより、容器本体２内の内容物を移送するとともに空気と混合させ、これらの気液混合体が発泡されてなる泡状の内容物を吐出孔６から吐出する。
【００６７】
この吐出容器１０の使用時には、装着キャップ４から規制部材２４を離脱させた後、容器本体２に対して押下ヘッド７を下方へ押し下げて、ステム５及び液用ピストン１１を一体的に押し下げる。
このとき、空気用ピストン１３の内摺動筒４６が下ステム３８の前記空気用ピストン対応部分の外側を相対移動するとともに、内摺動筒４６の上端部が上ステム３９の内周面上を摺動することにより、空気用ピストン１３の上下方向の位置が保持される。その結果、下ステム３８のフランジ部４０と、空気用ピストン１３の内摺動筒４６の下端縁との間に、空気導入路５２と空気用シリンダ１４の下室とを連通する連通隙間が設けられ、下室と気液混合室１５とが連通される。またこのとき、弁部材３５も下方に移動させられ、弁部材３５の下部弁体３７が液用シリンダ１２のテーパ筒部２７に着座して、液用シリンダ１２の下端開口部が閉塞される。
【００６８】
上ステム３９の下端縁が、空気用ピストン１３の内摺動筒４６の第１ガイドリブ３１に当接するまで押下ヘッド７を押し下げると、押下ヘッド７とともに空気用ピストン１３が下方に移動し、空気用ピストン１３の外摺動筒４５が、空気用シリンダ１４の周壁の内周面上を、下方に向けて摺動する。
【００６９】
このとき、空気用ピストン１３の連結板４７にその下方から当接する弁体４９は、該連結板４７の下面に密接されたままの状態であり、空気孔４８は閉塞されている。これにより、空気用シリンダ１４の下室内の空気が圧縮され、この空気が、前記連通隙間及び空気導入路５２を通して気液混合室１５に移送される。またこのとき、液用シリンダ１２の下端開口部が閉塞された状態で、付勢部材３４を圧縮変形させつつ、液用ピストン１１を下方に移動させて、弁部材３５の上部弁体３６を液用ピストン１１の前記弁座部（小径部３０）から離間させる。これにより、液用シリンダ１２の内部と下ステム３８の上方部分の内部とが連通され、液用シリンダ１２内の内容物が、前記弁座部の内側及び上部弁体３６の外側を通り、液吐出弁５１を押し上げるとともに弁座４１の内側を通過して、気液混合室１５に移送される。
【００７０】
以上のように、押下ヘッド７を押し下げることにより、気液混合室１５に空気及び内容物がそれぞれ移送され、これらは気液混合室１５で合流して混合される。この気液混合体は、発泡部材１６に移送され、下方の発泡エレメント５３の網体及び上方の発泡エレメント５３の網体を順次通過することで発泡させられて泡状になり、ノズル筒部６０内を流通して吐出孔６から吐出される。
【００７１】
その後、押下ヘッド７の押し下げを解除すると、付勢部材３４の弾性復元力により液用ピストン１１が上方に押し上げられる。これにより、液用ピストン１１の前記弁座部が弁部材３５の上部弁体３６に当接して閉じられ、気液混合室１５への内容物の移送が停止されるとともに、下部弁体３７は、液用シリンダ１２内の下端開口部から離反し、容器本体２内と液用シリンダ１２内とが連通して、容器本体２内の内容物が液用シリンダ１２内に流入する。なおこのとき、容器本体２内が負圧になり、空気用シリンダ１４において外摺動筒４５よりも上方に位置する部分に設けられた導入孔を通して、空気用シリンダ１４内において空気用ピストン１３の上方に位置する上室内の空気が容器本体２内に導入される。
【００７２】
また、このように上昇する液用ピストン１１とともに、ステム５及び押下ヘッド７が一体的に上昇し、下ステム３８のフランジ部４０が空気用ピストン１３の内摺動筒４６の下端縁に当接することで、空気導入路５２を通した空気用シリンダ１４の下室と気液混合室１５との連通が遮断され、気液混合室１５への空気の移送が停止される。その後、付勢部材３４の弾性復元力により空気用ピストン１３が押し上げられることで、前記下室内が負圧状態となり、空気用ピストン１３の弁体４９が下方に弾性変形させられて、空気孔４８が開放される。これにより、空気孔４８、空気用シリンダ１４の上室、案内筒部２０内及び外装筒部５５内を通して、容器外部から空気用シリンダ１４の下室内に外気が供給される。
【００７３】
以上説明した本実施形態のフォーマーディスペンサー１によれば、吐出器８において装着キャップ４の案内部１８内に挿通される挿通部分（具体的には装着筒部５７、上ステム３９の下方部分及び空気用ピストン１３の内摺動筒４６）の外周面、及び装着キャップ４の案内部１８（具体的には案内筒部２０、及び天壁部１９の挿入筒２２）の内周面のうちの一方に、他方に対して上下摺動可能なガイドリブ２５が設けられているので、下記の顕著な効果を奏功する。
すなわち、押下ヘッド７を押し下げたときに、吐出器８が下方に向けて真っ直ぐ移動せず上下方向に交差する方向に移動しようとしても、前記一方に設けられたガイドリブ２５が前記他方の周面上に摺接しつつ上下動することで、装着キャップ４に対する吐出器８の斜め押下（つまり真下にではなく斜め前方や斜め後方に押下されること）やガタつきを抑制できる。
以上より、押下ヘッド７を押し下げたときに、吐出器８が装着キャップ４に対して斜め押下されたりガタついたりすること（以下、ガタつき等と省略）を抑制でき、吐出器８と装着キャップ４との径方向の位置関係を安定させることが可能になり、押し下げ操作が安定して操作性が高められる。
【００７４】
また、ガイドリブ２５として、空気用ピストン１３の内摺動筒４６及び装着キャップ４の天壁部１９のいずれか一方に、他方に対して上下摺動可能な第１ガイドリブ３１が設けられているので、装着キャップ４の天壁部１９に対して吐出器８の空気用ピストン１３が上下動するときのガタつき等が抑制されて、上述した効果がより顕著に得られる。
【００７５】
また、装着キャップ４の天壁部１９には、空気用ピストン１３の内摺動筒４６が挿入される挿入筒２２が設けられているので、これら挿入筒２２と内摺動筒４６との上下方向に沿う接触可能な長さを確保しやすくなり、上述した吐出器８のガタつき等を抑える効果がより顕著となる。
【００７６】
また本実施形態では、第１ガイドリブ３１が、空気用ピストン１３の内摺動筒４６に設けられている。ここで、空気用ピストン１３の内摺動筒４６は、ステム５に外挿されて該ステム５とともに装着キャップ４の天壁部１９の内側に挿通していることから、この構成の場合、第１ガイドリブ３１の上下方向に沿う長さをより確保しやすくなり、上述した吐出器８のガタつき等を抑える効果がさらに顕著となる。
【００７７】
また、ガイドリブ２５として、押下ヘッド７の装着筒部５７及び装着キャップ４の案内筒部２０のいずれか一方に、他方に対して上下摺動可能な第２ガイドリブ３２が設けられているので、装着キャップ４の案内筒部２０に対して吐出器８の押下ヘッド７が上下動するときのガタつき等が抑制されて、上述した効果がさらに顕著なものとなる。
またこの場合、ガイドリブ２５における第１ガイドリブ３１と第２ガイドリブ３２とを、上下方向に沿う異なる位置に配置できる（上下に離間して配置できる）ので、上述した吐出器８のガタつき等を格別顕著に抑制できる。
【００７８】
また、外装筒部５５の内周面に、案内リブ６７、６８が突設されているので、例えば押下ヘッド７が斜め押下されたとき等に、案内筒部２０を案内リブ６７、６８上で上下方向に摺動可能にし、案内筒部２０により外装筒部５５の径方向の変位を規制することができる。これにより、外装筒部５５の径方向の位置を安定させることが可能になり、装着キャップ４に対する押下ヘッド７のぐらつきを抑制でき、かつ、外装筒部５５とヘッド本体５４との径方向の位置関係を安定させることが可能になり、ヘッド本体５４と外装筒部５５とが別体に形成されていてもこのフォーマーディスペンサー１の操作性を確保することができる。
【００７９】
また案内リブ６７、６８が、外装筒部５５のうち、案内筒部２０を径方向に挟んで反対側に位置する各部分に配置されているので、押下ヘッド７が斜め押下されたときに、案内リブ６７、６８を、案内筒部２０に径方向の両外側から摺接可能にし、外装筒部５５の径方向の位置を一層安定させることができる。
【００８０】
また第１案内リブ６７及び第２案内リブ６８が、外装筒部５５のうち、前後方向の両側に位置する各部分に配置されているので、押下ヘッド７が斜め押下されたときに、第１案内リブ６７及び第２案内リブ６８によって、外装筒部５５の前後方向の位置を安定させることができる。従って、押下ヘッド７の押下時に、たとえノズル筒部６０の前端部を押し下げてしまい該押下ヘッド７を前傾させるような外力が作用したとしても、装着キャップ４に対する押下ヘッド７のぐらつきを効果的に抑制でき、かつ、外装筒部５５とヘッド本体５４との前後方向の位置関係を確実に安定させることができる。
【００８１】
また、外装筒部５５の上端部に、吸気孔６４、６５が形成されているので、下記の効果が得られる。
すなわち、例えば従来のように、外装筒部５５に吸気孔６４、６５が設けられていないフォーマーディスペンサーでは、押下ヘッド７が上方に復元移動するときに、外気を、外装筒部５５の内周面と案内筒部２０の外周面との間の隙間（以下、「筒間隙間」という）を通して外装筒部５５内に吸引し、案内筒部２０内を通して空気用シリンダ１４内に吸入することになる。ここで、装着キャップ４の外面上に例えば水などの異物が付着していると、押下ヘッド７が上方に復元移動したときに、異物が空気とともに前記筒間隙間を通して外装筒部５５内に吸引され、空気用シリンダ１４内に侵入する可能性がある。
【００８２】
これに対して本実施形態のフォーマーディスペンサー１では、外装筒部５５の上端部に、吸気孔６４、６５が形成されているので、押下ヘッド７の押下を解除して空気用シリンダ１４内が負圧になるときに、外気を、吸気孔６４、６５を通して外装筒部５５内に吸引することができる。これにより、外気が、前記筒間隙間を通して外装筒部５５内に吸引されることが抑えられ、筒間隙間から異物が外気とともに外装筒部５５内に吸引されることが抑えられることから、空気用シリンダ１４内への異物の侵入を抑制できる。
【００８３】
また吸気孔６４、６５が、外装筒部５５の上端部に形成されているので、この吸気孔６４、６５が押下ヘッド７の外観性に与える影響を小さく抑えることができる。
さらに吸気孔６４、６５が、上方に向けて開口しているので、例えばこの外装筒部５５を金型により成形するときに、金型を容易に脱型すること等が可能になり、このフォーマーディスペンサー１を簡便に形成し易くすることができる。
【００８４】
また、外装筒部５５の外周面における吸気孔６４、６５の開口周縁部に、窪み部６６が形成されているので、水などの異物が侵入しづらく、且つ外気を窪み部６６を通して吸気孔６４、６５に導入することが可能になり、外気を外装筒部５５内に効果的に吸引することができる。
【００８５】
またヘッド本体５４に、被覆壁部５９が備えられているので、吸気孔６４、６５が外部に露出するのを抑えることが可能になり、このフォーマーディスペンサー１の外観性を確保し易くすることができる。
【００８６】
また頂壁部５６に、一対の係止部６９が設けられているので、ヘッド本体５４と外装筒部５５とが周方向に相対的に回転しようとしたときに、係止部６９が吸気孔６４、６５の内周縁に係止することで、この回転を規制することができる。また、吸気孔６４、６５を周方向に狭めるように外装筒部５５が変形しようとしたときに、係止部６９が吸気孔６４、６５の内周縁に係止することで、この変形を規制することもできる。
さらに、一対の係止部６９が、周方向に間隔をあけて配置されているので、前述のような回転や変形を規制しつつ、外装筒部５５の内部と外部とを、吸気孔６４、６５において、一対の係止部６９の間に位置する部分を通して確実に連通させることが可能になり、外気を外装筒部５５内に吸気孔６４、６５を通して確実に吸引することができる。
なお本実施形態のように、頂壁部５６に、下方に向けて突出し、装着筒部５７に外側から嵌合された嵌合筒部５８が設けられている場合であって、係止部６９が、装着筒部５７と嵌合筒部５８とを連結している場合には、係止部６９が吸気孔６４、６５の内周縁に係止したときに、係止部６９の径方向の両端部を装着筒部５７及び嵌合筒部５８により支持することが可能になり、前述の回転や変形を効果的に規制することができる。
【００８７】
また、頂壁部５６に支持板部７０が複数配置され、かつ、支持板部７０の径方向の内側の端部が、装着筒部５７に連結されるとともに、支持板部７０の径方向の外側の端部が、外装筒部５５を径方向の内側から支持している。従って、例えば、外装筒部５５がヘッド本体５４に対して径方向にガタつこうとしたときに、外装筒部５５を、支持板部７０を介して頂壁部５６及び装着筒部５７に支持させること等ができる。これにより、外装筒部５５をヘッド本体５４に強固に取り付けることが可能になり、例えば外装筒部５５とヘッド本体５４とのガタつきを抑えることができる。
【００８８】
また頂壁部５６に、嵌合筒部５８が設けられているので、外装筒部５５を、支持板部７０と嵌合筒部５８との間に径方向に挟持することが可能になり、外装筒部５５をヘッド本体５４に一層強固に取り付けることができる。
【００８９】
また係止部６９のうち、外装筒部５５よりも径方向の内側に位置する前記筒内部分が、外装筒部５５を径方向の内側から支持しているので、支持板部７０のみならず係止部６９の前記筒内部分によっても外装筒部５５を径方向の内側から支持することが可能になり、外装筒部５５をヘッド本体５４に一層強固に取り付けることができる。
【００９０】
なお、本発明は前述の実施の形態に限定されるものではなく、本発明の趣旨を逸脱しない範囲において種々の変更を加えることが可能である。
【００９１】
例えば、前述の実施形態では、第１ガイドリブ３１が、内摺動筒４６に形成されているとともに、天壁部１９の挿入筒２２に上下摺動可能とされているとしたが、これに限定されるものではなく、第１ガイドリブ３１が、挿入筒２２に形成されているとともに、内摺動筒４６に上下摺動可能とされていてもよい。
また、第２ガイドリブ３２が、案内筒部２０に形成されているとともに、装着筒部５７に上下摺動可能とされているとしたが、これに限定されるものではなく、第２ガイドリブ３２が、装着筒部５７に形成されているとともに、案内筒部２０に上下摺動可能とされていてもよい。
また、ガイドリブ２５が、上ステム３９の下方部分に形成されて、案内部１８に上下摺動可能とされていてもよい。
【００９２】
また、規制部材２４は設けられていなくてもよい。
【００９３】
また前述の実施形態では、案内リブ６７、６８は、第１案内リブ６７及び第２案内リブ６８を備えているが、これに限定されない。例えば、案内リブが、外装筒部５５の内周面において左右方向の両側に位置する各部分に配置されていてもよい。
また案内リブ６７、６８が、外装筒部５５のうち、案内筒部２０を径方向に挟んで反対側に位置する各部分に配置されていなくてもよい。さらに、案内リブ６７、６８が設けられていなくてもよい。
【００９４】
また、係止部６９の前記筒内部分が、外装筒部５５を径方向の内側から支持していなくてもよい。また係止部６９が、装着筒部５７と嵌合筒部５８とを連結していなくてもよい。さらに係止部６９が設けられていなくてもよい。
【００９５】
また、ノズル筒部６０、嵌合筒部５８及び被覆壁部５９が設けられていなくてもよい。この場合、例えば吐出孔６が外装筒部５５を貫通する貫通孔によって形成されていてもよい。また支持板部７０がなくてもよい。
【００９６】
また、窪み部６６がなくてもよい。
また、吸気孔６４、６５が、第１吸気孔６４及び第２吸気孔６５を備えているが、これに限定されない。例えば吸気孔として第１吸気孔及び第２吸気孔のうちの少なくとも一方が設けられていてもよい。
また、吸気孔６４、６５が設けられていなくてもよい。
【００９７】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００９８】
１  フォーマーディスペンサー
２  容器本体
３  口部
４  装着キャップ
５  ステム
６  吐出孔
７  押下ヘッド
８  吐出器
１１  液用ピストン
１２  液用シリンダ
１３  空気用ピストン
１４  空気用シリンダ
１５  気液混合室
１６  発泡部材
１８  案内部
１９  天壁部
２０  案内筒部
２２  挿入筒
２５  ガイドリブ
３１  第１ガイドリブ
３２  第２ガイドリブ
４６  内摺動筒
５６  頂壁部
５７  装着筒部
【図１】
2015020766.tif 000004